(57)【要約】【課題】着用時の違和感を抑制し、かつ排泄物の漏れを抑制できる吸収性物品を提供する。【解決手段】吸収性物品１は、吸収性物品の肌対向面同士が対向するように折り畳むための折り線ＦＬ１を有する。吸収体は、中央域と後側域の境界に設けられ、かつ幅方向に延びる低目付部４１を有する。吸収性物品は、低目付部よりも前方に位置する第１接合部６１と、低目付部よりも後方に位置する第２接合部６２と、を有する。弾性部材９１は、低目付部又は低目付部から幅方向の外側に延びる領域を跨いでいる。折り線は、吸収性物品が展開された展開状態において弾性部材の収縮によって低目付部が着用者側に隆起するように低目付部に設けられる。【選択図】図１
2017176449.tif 000002
【特許請求の範囲】
【請求項１】
互いに直交する前後方向及び幅方向と、
着用者の股下に配置される中央域と、
前記中央域の後側に位置する後側域と、
前記中央域及び前記後側域に配置される吸収体と、
前記前後方向に伸縮する弾性部材と、
吸収性物品の非肌対向面に設けられ、下着に接合するための接合部と、
前記幅方向に延び、かつ前記吸収性物品の肌対向面同士が対向するように折り畳むための折り線と、を有する吸収性物品であって、
前記吸収体は、前記中央域と前記後側域の境界に設けられ、かつ前記幅方向に延びる低目付部を有し、
前記低目付部の目付は、前記中央域の前記前後方向の中心部の目付よりも低く、
前記接合部は、前記低目付部よりも前方に位置する第１接合部と、前記低目付部よりも後方に位置する第２接合部と、を有し、
前記弾性部材は、前記低目付部又は前記低目付部から前記幅方向の外側に延びる領域を跨いでおり、
前記折り線は、前記吸収性物品が展開された展開状態において前記弾性部材の収縮によって前記低目付部が着用者側に隆起するように、前記低目付部に設けられる、吸収性物品。
【請求項２】
前記折り線の少なくとも一部は、前記低目付部の前記前後方向の中心と一致しない位置に設けられる、請求項１に記載の吸収性物品。
【請求項３】
前記吸収体よりも肌対向面側に設けられた肌面シートと、
前記肌面シートは、前記低目付部と重なる領域において、前記肌面シートよりも非肌対向面側に設けられた部材と接合されていない、請求項１又は請求項２に記載の吸収性物品。
【請求項４】
前記吸収体よりも非肌対向面側に設けられた非肌面シートと、を有し、
前記肌面シートは、前記低目付部と重なる領域において、前記吸収体と接合されてなく、
前記非肌面シートは、前記低目付部と重なる領域において、前記吸収体と接合されている、請求項３に記載の吸収性物品。
【請求項５】
前記低目付部は、前記接合部に重ならない領域に配置される、請求項１から請求項４のいずれかに記載の吸収性物品。
【請求項６】
前記第２接合部の後端縁は、前記弾性部材によって前記前後方向に収縮する収縮領域よりも後方に配置される、請求項１から請求項５のいずれかに記載の吸収性物品。
【請求項７】
前記後側域において前記幅方向の外側に膨らむヒップフラップを有し、
前記接合部は、前記ヒップフラップに設けられた第３接合部を有し、
前記第３接合部は、前記弾性部材によって前記前後方向に収縮する収縮領域よりも後方に配置される、請求項１から請求項６のいずれかに記載の吸収性物品。
【請求項８】
前記後側域において前記幅方向の外側に膨らむヒップフラップと、
前記ヒップフラップに隣接し、かつ前記中央域において前記幅方向の外側に膨らむウイングと、を有し、
前記低目付部は、前記ヒップフラップの外縁及び前記ウイングの外縁が幅方向の内側に括れた括れ部、又は前記括れ部から前記幅方向の外側に延びる領域に設けられている、請求項１から請求項７のいずれかに記載の吸収性物品。
【請求項９】
前記後側域において前記幅方向の外側に膨らむヒップフラップを有し、
前記ヒップフラップの外縁は、前記幅方向の内側に凹む凹部を有し、
前記低目付部の後端縁よりも後方の領域に、前記凹部が配置される、請求項１から請求項８のいずれかに記載の吸収性物品。
【発明の詳細な説明】
【技術分野】
【０００１】
本発明は、生理用ナプキン等の吸収性物品に関する。
【背景技術】
【０００２】
生理用ナプキン、パンティーライナー、失禁パッド等、下着に装着される吸収性物品が知られている。吸収性物品の非肌対向面には、下着に接合するための接合部が設けられている。特許文献１に記載された吸収性物品は、少なくともウイング接合部とヒップフラップ接合部を有する。特許文献１の吸収性物品を装着する際は、下着を体から離した状態でウイング接合部及びヒップフラップ接合部を下着に接合し、下着を介して吸収性物品を引き上げる。
【先行技術文献】
【特許文献】
【０００３】
【特許文献１】特開２０１１−７２６５１号公報
【発明の概要】
【発明が解決しようとする課題】
【０００４】
一般的に、下着は、伸縮性を有する素材によって構成されており、装着時に着用者の身体に馴染むように伸長する。一方、吸収性物品の全体は、装着時に身体に馴染むように伸長しない。そのため、装着時に吸収性物品と下着とを共に引き上げると、下着だけが伸長し、ウイング接合部及びヒップフラップ接合部にせん断力が生じる。特に、着用者が下着の腰周りを把持して下着を引き上げるため、製品後方に位置するヒップフラップ接合部にせん断力が生じ、ヒップフラップ接合部が下着から離れることがある。ヒップフラップ接合部等の吸収性物品の後側域に位置する接合部が下着から離れると、装着時に吸収性物品の後端縁が肌対向面側に折れ曲がったり、吸収性物品の後側域の位置が幅方向においてずれてしまったりして、着用時の違和感や排泄物の漏れが生じることがある。
【０００５】
そこで、着用時の違和感を抑制し、かつ排泄物の漏れを抑制できる吸収性物品を提供することを目的とする。
【課題を解決するための手段】
【０００６】
本開示に係る吸収性物品（吸収性物品１）は、互いに直交する前後方向(前後方向Ｌ)及び幅方向（幅方向Ｗ）と、着用者の股下に配置される中央域（中央域Ｓ１）と、前記中央域の後側に位置する後側域（後側域Ｓ３）と、前記中央域及び前記後側域に配置される吸収体（吸収体３０）と、前記前後方向に伸縮する弾性部材（弾性部材９１）と、吸収性物品の非肌対向面に設けられ、下着に接合するための接合部（接合部６０）と、前記幅方向に延び、かつ前記吸収性物品の肌対向面同士が対向するように折り畳むための折り線（折り線ＦＬ１）と、を有する吸収性物品であって、前記吸収体は、前記中央域と前記後側域の境界に設けられ、かつ前記幅方向に延びる低目付部（低目付部４１）を有し、前記低目付部の目付は、前記中央域の前記前後方向の中心部の目付よりも低く、前記接合部は、前記低目付部よりも前方に位置する第１接合部（第１接合部６１）と、前記低目付部よりも後方に位置する第２接合部（第２接合部６２）と、を有し、前記弾性部材（弾性部材９１）は、前記低目付部又は前記低目付部から前記幅方向の外側に延びる領域を跨いでおり、前記折り線は、前記吸収性物品が展開された展開状態において前記弾性部材の収縮によって前記低目付部が着用者側に隆起するように、前記低目付部に設けられることを要旨とする。
【発明の効果】
【０００７】
本実施形態における吸収性物品によれば、着用時の違和感を抑制し、かつ排泄物の漏れを抑制できる。
【図面の簡単な説明】
【０００８】
【図１】実施の形態に係る吸収性物品の平面図である。
【図２】図１に示す吸収性物品の背面図である。
【図３】図１のＡ−Ａ線に沿った吸収性物品の断面図である。
【図４】図１のＢ−Ｂ線に沿った吸収性物品の断面図である。
【図５】図１のＣ−Ｃ線に沿った吸収性物品の断面図である。
【図６】個包装を展開した展開状態の吸収性物品の模式的斜視図である。
【図７】図５の低目付部の模式的拡大図である。（ａ）は、弾性部材が伸長した伸長状態であり、（ｂ）は、弾性部材が収縮した収縮状態である。
【図８】装着状態の吸収性物品の、図１のＣ−Ｃ線に沿った模式的断面図である。（ａ）は、展開状態の吸収性物品１を下着に接合し、下着を引き上げる前の状態である。（ｂ）は、（ａ）に示す下着を引き上げた後の状態である。
【図９】変形例に係る吸収性物品の平面図である。
【図１０】図９に示す吸収性物品の背面図である。
【発明を実施するための形態】
【０００９】
本明細書及び添付図面の記載により、少なくとも以下の事項が明らかとなる。
【００１０】
互いに直交する前後方向及び幅方向と、
着用者の股下に配置される中央域と、
前記中央域の後側に位置する後側域と、
前記中央域及び前記後側域に配置される吸収体と、
前記前後方向に伸縮する弾性部材と、
吸収性物品の非肌対向面に設けられ、下着に接合するための接合部と、
前記幅方向に延び、かつ前記吸収性物品の肌対向面同士が対向するように折り畳むための折り線と、を有する吸収性物品であって、
前記吸収体は、前記中央域と前記後側域の境界に設けられ、かつ前記幅方向に延びる低目付部を有し、
前記低目付部の目付は、前記中央域の前記前後方向の中心部の目付よりも低く、
前記接合部は、前記低目付部よりも前方に位置する第１接合部と、前記低目付部よりも後方に位置する第２接合部と、を有し、
前記弾性部材は、前記低目付部又は前記低目付部から前記幅方向の外側に延びる領域を跨いでおり、
前記折り線は、前記吸収性物品が展開された展開状態において前記弾性部材の収縮によって前記低目付部が着用者側に隆起するように、前記低目付部に設けられる、吸収性物品。
【００１１】
低目付部は、中央域の前後方向の中心部よりも目付が低く、変形し易い。低目付部又は低目付部から幅方向の外側に延びる領域を弾性部材が跨いでいるため、展開状態において弾性部材が収縮することにより、低目付部の前後方向の長さが短くなるように変形し、低目付部が前後方向に縮んだ状態となる。
【００１２】
装着時に吸収性物品は、低目付部が縮んだ状態で第１接合部及び第２接合部を介して下着に固定された後に、下着と共に引き上げられる。このとき、下着の伸長に伴って低目付部の縮んだ領域が延び、下着の変形に追従して吸収性物品が変形する。よって、第１接合部及び第２接合部は、装着時に下着から離れ難く、下着を引き上げる前に固定された位置を維持し易い。装着時に吸収性物品が意図せずに折れ曲がったり、位置がずれたりすることを抑制し、着用時の違和感や排泄物の漏れを抑制することができる。特に、着用者が下着の腰周りを把持して下着を引き上げた際に、製品後方に位置する第２接合部にせん断力が生じた場合であっても、第２接合部の接合状態を維持でき、装着時に吸収性物品の後端縁が肌対向面側に折れ曲がったり、吸収性物品の後側域の位置が幅方向においてずれたりする不具合を抑制し、着用時の違和感や排泄物の漏れを抑制できる。
【００１３】
また、展開状態において低目付部が着用者側に隆起するように低目付部に折り線が設けられているため、低目付部が下着と接合部の接合を阻害せず、吸収性物品の接合位置を維持して、着用時の違和感や排泄物の漏れを抑制することができる。
【００１４】
かかる吸収性物品であって、
前記折り線の少なくとも一部は、前記低目付部の前後方向の中心と一致しない位置に設けられることが望ましい。
【００１５】
このような吸収性物品によれば、折り線が着用者に対して谷折りであるため、低目付部内の折り線に隣接する隣接領域は、展開状態において折り線を基点にして着用者側に隆起する。折り線は、低目付部の前後方向の中心と一致せずに、低目付部の前後方向の中心に対して前後方向にずれて設けられる。低目付部の前端縁と低目付部の後端縁のうち折り線と離れて配置される側に位置する隣接領域は、吸収性物品の展開状態で、隆起する前後方向の長さが長くなり、着用者側により隆起し易くなる。低目付部が下着と接合部の接合を阻害せず、吸収性物品の接合位置を維持して、着用時の違和感や排泄物の漏れを更に抑制することができる。
【００１６】
かかる吸収性物品であって、
前記吸収体よりも肌対向面側に設けられた肌面シートと、
前記肌面シートは、前記低目付部と重なる領域において、前記肌面シートよりも非肌対向面側に設けられた部材と接合されていないことが望ましい。
【００１７】
このような吸収性物品によれば、低目付部において肌面シートが肌面シートよりも非肌対向面側に設けられた部材と接合されていないため、弾性部材によって低目付部が縮むように変形する際に、肌面シートが着用者側に膨らむように変形し易くなる。肌面シートが着用者側に隆起するように変形することにより、下着の引き上げ時に下着の伸長に伴って肌面シートが伸長し、接合部に生じするせん断力を抑制できる。
【００１８】
かかる吸収性物品であって、
前記吸収体よりも非肌対向面側に設けられた非肌面シートと、を有し、
前記肌面シートは、前記低目付部と重なる領域において、前記吸収体と接合されてなく、
前記非肌面シートは、前記低目付部と重なる領域において、前記吸収体と接合されていることが望ましい。
【００１９】
このような吸収性物品によれば、肌面シートと吸収体が接合されておらず、かつ非肌面シートと吸収体とが接合されているため、吸収体の非肌対向面側よりも吸収体の肌対向面側の剛性が低くなる。そのため、弾性部材によって低目付部が縮むように変形する際に低目付部が肌対向面側に隆起し易くなる。前後方向に縮んだ状態の低目付部が下着と接合部の接合を阻害せず、吸収性物品の接合位置を維持して、着用時の違和感や排泄物の漏れを更に抑制することができる。
【００２０】
かかる吸収性物品であって、
前記低目付部は、前記接合部に重ならない領域に配置されることが望ましい。
【００２１】
このような吸収性物品によれば、低目付部が縮んだ際に、接合部同士がくっつくことを抑制し、接合部を介して吸収性物品と下着との接合状態を維持できる。装着時に吸収性物品が意図せずに折れ曲がったり、位置がずれたりすることを抑制し、着用時の違和感や排泄物の漏れを更に抑制することができる。
【００２２】
かかる吸収性物品であって、
前記第２接合部の後端縁は、前記弾性部材によって前後方向に収縮する収縮領域よりも後方に配置されることが望ましい。
【００２３】
このような吸収性物品によれば、収縮領域よりも後方に位置する第２接合部は、展開状態において弾性部材の収縮によって縮み難く、下着に対する接合状態を維持し易い。また、下着が引き上げられた際に、下着の変形に伴って収縮領域が伸長し、収縮領域よりも後方に位置する第２接合部と下着との接合状態を維持し易い。よって、吸収性物品の接合位置を維持して、着用時の違和感や排泄物の漏れを更に抑制することができる。
【００２４】
かかる吸収性物品であって、
前記後側域において前記幅方向の外側に膨らむヒップフラップを有し、
前記接合部は、前記ヒップフラップに設けられた第３接合部を有し、
前記第３接合部は、前記弾性部材によって前後方向に収縮する収縮領域よりも後方に配置されることが望ましい。
【００２５】
このような吸収性物品によれば、収縮領域よりも後方に位置する第３接合部は、展開状態において弾性部材の収縮によって縮み難く、下着に対する接合状態を維持し易い。また、下着が引き上げられた際に、下着の変形に伴って収縮領域が伸長し、収縮領域よりも後方に位置する第３接合部と下着との接合状態を維持し易い。ヒップフラップの折り返しや皺の発生を抑制し、着用時の違和感や排泄物の漏れを更に抑制することができる。
【００２６】
かかる吸収性物品であって、
前記後側域において前記幅方向の外側に膨らむヒップフラップと、
前記ヒップフラップに隣接し、かつ前記中央域において前記幅方向の外側に膨らむウイングと、を有し、
前記低目付部は、前記ヒップフラップの外縁及び前記ウイングの外縁が幅方向の内側に括れた括れ部、又は前記括れ部から前記幅方向の外側に延びる領域に設けられていることが望ましい。
【００２７】
中央域は、着用者の脚によって挟まれ、幅方向の外側から幅方向の内側に向かう力等がかかり変形し易い。低目付部が括れ部又は括れ部から幅方向の外側に延びる領域に設けられているため、低目付部によって中央域の変形がヒップフラップに伝播することを抑制できる。よって、ヒップフラップのよれや皺を抑制し、着用時の違和感や排泄物の漏れを抑制することができる。
【００２８】
かかる吸収性物品であって、
前記後側域において前記幅方向の外側に膨らむヒップフラップを有し、
前記ヒップフラップの外縁は、前記幅方向の内側に凹む凹部を有し、
前記低目付部の後端縁よりも後方の領域に、前記凹部が配置されることが望ましい。
【００２９】
このような吸収性物品によれば、低目付部の後端縁よりも後方の領域に凹部が配置されるため、低目付部の変形を凹部よりも後方に伝播することを抑制し、ヒップフラップ全体に折れや皺が発生することを抑制できる。よって、ヒップフラップのよれや皺を更に抑制し、着用時の違和感や排泄物の漏れを抑制することができる。
【００３０】
＝＝＝本実施の形態に係る吸収性物品について＝＝＝
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００３１】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３２】
（１）吸収性物品の全体的構成
図１は、実施の形態に係る吸収性物品の平面図である。図２は、図１に示す吸収性物品の背面図である。図３は、図１のＡ−Ａ線に沿った吸収性物品の断面図である。図４は、図１のＢ−Ｂ線に沿った吸収性物品の断面図である。図５は、図１のＣ−Ｃ線に沿った吸収性物品の断面図である。
【００３３】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌対向面側Ｔ１から非肌対向面側Ｔ２へ延びる方向であり、前後方向Ｌ及び幅方向Ｗに直交する方向である。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３４】
吸収性物品１は、中央域Ｓ１、前側域Ｓ２及び後側域Ｓ３を有する。中央域Ｓ１は、着用者の排泄口（例えば膣口）に対向する領域である。吸収性物品１が下着に装着されたときに、中央域Ｓ１は、下着の股下部に位置する。つまり、中央域Ｓ１は、着用者の股下、すなわち着用者の両足の間に配置される領域である。
【００３５】
前側域Ｓ２は、中央域Ｓ１よりも前側に位置する。前側域Ｓ２の前端縁は吸収性物品１の前端縁を規定する。後側域Ｓ３は、中央域Ｓ１よりも後側に位置する。後側域Ｓ３の後端縁は吸収性物品１の後端縁を規定する。後側域Ｓ３の前後方向Ｌの長さは、中央域Ｓ１の前後方向Ｌの長さよりも長い。
【００３６】
中央域Ｓ１には、幅方向の外側に膨らむウイング３が設けられている。また、後側域Ｓ３には、幅方向Ｗの外側に膨らむヒップフラップ４が設けられていている。ウイング３とヒップフラップ４は、前後方向において隣接している。ウイング３及びヒップフラップ４は、中央域Ｓ１における吸収コア３１の外側縁よりも幅方向Ｗの外側に延出している。
【００３７】
ウイングの付け根は、ウイングの外縁が幅方向の内側に括れた括れ部を構成する。括れ部は、ウイングの外縁が最も幅方向Ｗの内側に窪んだ２つの部分であり、ウイングの前端縁とウイングの後端縁とに設けられる。ウイング３の前端縁は、中央域Ｓ１と前側域Ｓ２との境界を規定する。ウイング３の後端縁は、中央域Ｓ１と後側域Ｓ３との境界を規定する。ヒップフラップの前端縁は、ウイングの後端縁と一致し、ヒップフラップの外縁及びウイングの外縁が幅方向の内側に括れた括れ部を構成する。また、ヒップフラップ４の外縁４Ｅは、幅方向の内側に凹む複数の凹部４Ｃを有する波形形状である。
【００３８】
吸収性物品１は、肌面シート１０、非肌面シート２０及び吸収体３０を有する。肌面シート１０は、吸収体３０よりも肌対向面側Ｔ１に設けられる。肌面シート１０は、表面シート１１及びサイドシート１２を有する。非肌面シート２０は、吸収体３０よりも非肌対向面側Ｔ２に設けられる。吸収体３０は、肌面シート１０と非肌面シート２０との間に設けられる。サイドシート１２は、幅方向Ｗにおける表面シート１１の外側縁を覆い、表面シート１１よりも幅方向Ｗの外側へ延びている。サイドシート１２は、幅方向Ｗにおける吸収体３０の外側縁、ウイング３及びヒップフラップ４に配置されていている。
【００３９】
吸収体３０は、少なくとも中央域Ｓ１及び後側域Ｓ３に配置される。また、吸収体３０は、中央域Ｓ１から前側域Ｓ２まで延びていてもよい。吸収体３０は、液体を吸収する吸収材料を含む吸収コア３１と、吸収コア３１を包むコアラップ３２と、を有する。コアラップ３２は、少なくとも吸収コア３１よりも肌対向面側で吸収コア３１を覆っていればよい。
【００４０】
図２に示すように、非肌面シート２０の非肌対向面には、吸収性物品を下着Ｓに接合するため接合部６０が設けられている。接合部６０は、粘着剤を有する。接合部６０は、後述する低目付部４１よりも前方に位置する第１接合部６１と、低目付部４１よりも後方に位置する第２接合部６２と、ヒップフラップに設けられた第３接合部６３と、ウイングに設けられた第４接合部６４と、を有する。第１接合部６１及び第２接合部６２は、吸収体３０と重なる領域に設けられている。第１接合部６１と第２接合部６２とは前後方向に離間している。接合部６０については、後述にて詳細に説明する。
【００４１】
また、本明細書における「吸収体の目付」の測定は、以下の測定方法によって行われるものとする。
【００４２】
吸収性物品１がパッケージなどに封入されている場合には、パッケージから取り出し、その状態にて20℃±2℃、相対湿度60％±5％RHの雰囲気下において12時間放置したサンプルを用いる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。
【００４３】
本明細書における「吸収体の厚さ」の測定は、以下の測定方法によって行われるものとする。吸収性物品１がパッケージなどに封入されている場合には、パッケージから取り出し、その状態にて20℃±2℃、相対湿度60％±5％RHの雰囲気下において12時間放置したサンプルを用いる。測定する際は、吸収性物品が縮んだ状態ではなく、吸収性物品の伸縮性部材を伸張させた状態として測定する。また、吸収体以外の肌面シート及び非肌面シート等、吸収体以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、厚さとした。
【００４４】
また、本明細書における「長さ」の測定は、以下の測定方法によって行われるものとする。吸収性物品１がパッケージなどに封入されている場合には、パッケージから取り出し、その状態にて20℃±2℃、相対湿度60％±5％RHの雰囲気下において12時間放置したサンプルを用いる。次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００４５】
（２）吸収体の詳細構成
吸収体３０は、低目付部４１を有する。低目付部４１の吸収材料の目付は、中央域の前後方向の中心部における吸収材料の目付よりも低い。「低目付部」は、中央域の前後方向の中心に位置する吸収コア３１よりも低い目付を有する吸収コア３１からなる領域、又は吸収コア３１を有していない領域を意味する。このように、「低目付部」は、吸収コア３１の目付が零である領域を含む概念である。「低目付部４１」が吸収コア３１を有していない領域である場合でも、コアラップ３２は、低目付部４１を跨いで吸収コア３１全体を包んでいてよい。この場合、吸収コア３１が複数の領域に分断されていたとしても、吸収体３０は、コアラップ３２によって一体的に形成される。
【００４６】
低目付部４１は、吸収体３０の剛性が変化する境目となる。したがって、低目付部４１は、吸収体３０が変形し易い領域に相当する。低目付部４１は、幅方向Ｗに延びており、吸収性物品１が厚み方向Ｔに曲がることができるように構成されている。低目付部４１は、幅方向Ｗにおいて、吸収体３０の一端から他端まで延びている。
【００４７】
本実施形態では、低目付部４１は、低目付部４１の幅方向Ｗの中央が後方に突出した曲線形状である。より詳細には、低目付部４１の幅方向Ｗの中心は、低目付部４１の外側縁よりも後方に位置する。低目付部４１の前後方向Ｌにおける長さは、一定であってもよいし、一定でなくてもよい。本実施の形態の低目付部４１は、幅方向において前後方向の位置が変化しており、低目付部４１の前後方向の中心４１ＣＬを繋いだ線も、幅方向において前後方向の位置が変化し、幅方向Ｗの中央が後方に突出した曲線形状である。低目付部４１の前端縁４１Ｆは、低目付部全体の前端縁であり、低目付部４１の外側縁４１Ｅにおける低目付部の前端縁である。低目付部４１の後端縁４１Ｒは、低目付部全体の後端縁であり、低目付部４１の幅方向Ｗの中心における低目付部４１の後端縁である。
【００４８】
低目付部４１は、前後方向Ｌにおける中央域Ｓ１（ウイング３）の中心よりも後側かつ吸収体３０の後側縁よりも前側に設けられていている。低目付部４１の少なくとも一部は、中央域Ｓ１と後側域Ｓ３との境界に設けられている。低目付部４１は、中央域Ｓ１と後側域Ｓ３との境界の少なくとも一部に設けられていればよく、境界の全域に設けられていなくてよい。低目付部４１の少なくとも一部は、ヒップフラップ４の外縁及びウイングの外縁が幅方向の内側に括れた括れ部５であるウイング３の後端縁（ヒップフラップ４の前端縁）又は括れ部５から幅方向の外側に延びる領域に設けられている。中央域Ｓ１は、着用者の脚によって挟まれ、幅方向Ｗの外側から幅方向の内側に向かう力等がかかり変形し易い。括れ部５又は括れ部５から幅方向の外側に延びる領域に低目付部４１が設けられているため、低目付部４１によって中央域Ｓ１の変形を吸収し、当該変形がヒップフラップ４に伝播することを抑制できる。よって、ヒップフラップ４のよれや皺の発生を抑制し、着用時の違和感や排泄物の漏れを抑制することができる。
【００４９】
低目付部４１の後端縁４１Ｒよりも後方の領域には、ヒップフラップ４の複数の凹部４Ｃのうち、少なくとも一部の凹部４Ｃが配置されている。低目付部４１の後端縁４１Ｒよりも後方の領域に凹部４Ｃが配置されるため、低目付部４１の変形を凹部４Ｃによって分断し、当該変形が凹部４Ｃよりも後方に伝播することを抑制し、ヒップフラップ４全体に折れや皺が発生することを抑制できる。よって、ヒップフラップ４のよれや皺の発生を抑制し、着用時の違和感や排泄物の漏れを抑制することができる。
【００５０】
（３）吸収性物品の折り畳み
吸収性物品１は、使用前には折り線ＦＬ１を基点に折り畳まれている。折り線ＦＬ１は、吸収性物品１の肌対向面同士が対向するように折り畳むための線であり、当該折り畳まれた状態で形成される。折り線ＦＬ１は、着用者に対して谷折りとなる折り癖を形成する。
【００５１】
図６は、折り線を基点に折り畳まれた吸収性物品１を展開した展開状態の吸収性物品１の模式的斜視図である。図６に示す吸収性物品は、防漏カフを構成する弾性部材９１の収縮によって、低目付部４１及び低目付部４１と重なる領域が着用者側に隆起している。図７は、図５に示す低目付部４１の模式的拡大図である。図７（ａ）は、吸収性物品が展開し、かつ弾性部材９１が伸長した伸長状態であり、図７（ｂ）は、吸収性物品が展開し、かつ弾性部材９１が収縮した収縮状態である。
【００５２】
折り線ＦＬ１は、吸収性物品が展開された展開状態において弾性部材９１の収縮によって低目付部４１が着用者側に隆起するように設けられている。展開状態において低目付部４１が着用者側に隆起するように低目付部４１に折り線が設けられているため、第１接合部６１及び第２接合部６２等の接合部６０を下着に接合する際に、低目付部４１が下着Ｓと接合部６０の間に配置され難い。よって、低目付部４１が下着Ｓと接合部６０の接合を阻害せず、接合部６０が意図しない位置に接合したり、接合部６０が折れ曲がったりする不具合を抑制し、接合部６０による接合状態を維持し易い。よって、吸収性物品１の接合位置を維持して、着用時の違和感や排泄物の漏れを抑制することができる。
【００５３】
折り線ＦＬ１は、幅方向Ｗに延びている。折り線ＦＬ１は、低目付部と、低目付部に隣接する吸収コアと、を跨いで設けられている。折り線ＦＬ１は、低目付部４１の前後方向の中心４１ＣＬと前後方向において離間している。折り線ＦＬ１の少なくとも一部は、低目付部４１の前後方向の中心４１ＣＬと一致しない位置に設けられる。折り線ＦＬ１は、少なくとも一部において低目付部４１の前後方向の中心４１ＣＬと離間して設けられていればよく、部分的に前後方向の中心４１ＣＬと重なるように設けられていてもよい。低目付部４１内には、折り線ＦＬ１と、前後方向Ｌにおいて折り線に隣接した隣接領域と、が形成されている。隣接領域は、低目付部４１よりも前側に位置する吸収コア３１と折り線ＦＬ１との間の前側隣接領域４１１と、低目付部４１よりも後側に位置する吸収コア３１と折り線ＦＬ１との間の後側隣接領域４１２と、が設けられる。
【００５４】
折り線ＦＬ１が着用者に対して谷折りであるため、折り線ＦＬ１に隣接する隣接領域は、図６及び図７（ｂ）に示す状態において折り線ＦＬ１を基点にして着用者側に隆起する。折り線ＦＬ１の少なくとも一部は、低目付部４１の前後方向の中心４１ＣＬと一致せずに、低目付部４１の前後方向の中心に対して前後方向にずれている。折り線ＦＬ１が低目付部の前後方向の中心に対してずれた領域では、隣接領域のうち一方（本実施の形態における後側隣接領域４１２）の前後方向Ｌの長さが、他方（本実施の形態における前側隣接領域４１１）の前後方向Ｌの長さよりも長い。一方の隣接領域は、他方の隣接領域よりも吸収性物品の展開状態で隆起する前後方向の長さが長くなり、着用者側により隆起し易くなる。
【００５５】
（４）吸収性物品の装着態様
次いで、このように構成された吸収性物品の下着Ｓへの装着態様について説明する。着用者は、吸収性物品を下着に装着する際に、まず折り畳まれた折り畳み状態の吸収性物品１を展開する。図６に示すように展開状態において、低目付部４１は、弾性部材９１の収縮によって前後方向Ｌに縮んだ状態となる。次いで、着用者は、展開状態の吸収性物品の接合部を下着に接合する。このとき、下着Ｓは、身体から離された状態であり、具体的には、着用者の股下の下方に配置されている。図８は、装着状態の吸収性物品の、図１のＣ−Ｃ線に沿った模式的断面図である。図８(a)は、展開状態の吸収性物品１を下着に接合し、下着を引き上げる前の状態である。引き上げ前の状態において、吸収性物品１は、第１接合部６１及び第２接合部６２を介して下着に接合され、第１接合部６１と第２接合部６２の間の低目付部４１が前後方向Ｌに収縮している。次いで、着用者は、図８（ａ）に示す吸収性物品を引き上げ、着用者の腰周りに下着Ｓ及び吸収性物品１を配置する。図８（ｂ）は、下着を引き上げ後の状態である。
【００５６】
着用者の腰周りに下着Ｓ及び吸収性物品１が配置される際に、下着Ｓは、着用者の身体に馴染むように伸長する。このとき、下着Ｓの伸長に伴って低目付部４１の縮んだ領域が延び、下着の変形に追従して吸収性物品１が変形する。装着後の状態における第１接合部６１と第２接合部６２との前後方向Ｌの距離は、装着前の状態における第１接合部６１と第２接合部６２との距離よりも長い。第１接合部６１及び第２接合部６２は、装着時に下着から離れ難く、下着を引き上げる前に固定された位置を維持し易い。装着時に吸収性物品１が意図せずに折れ曲がったり、位置がずれたりすることを抑制し、着用時の違和感や排泄物の漏れを抑制することができる。
【００５７】
（５）防漏カフ
吸収性物品１は、一対の防漏カフを有する。防漏カフは、着用者側に立ち上がり可能な起立性のギャザーである。防漏カフは、サイドシート１２と、弾性部材９１と、によって構成されている。サイドシート１２の内側縁１２Ｅは、前後方向Ｌに沿って幅方向Ｗの外側に折り返されている。当該折り返されたサイドシート１２間に、前後方向Ｌに伸縮する弾性部材９１が配置されている。サイドシート１２の内側縁１２Ｅは、表面シート１１に接合されていない。サイドシート１２の内側縁１２Ｅ及び弾性部材９１は、起立性の防漏カフを構成する。吸収性物品は、弾性部材９１によって前後方向に収縮する収縮領域を有する。収縮領域とは、弾性部材９１が伸長状態で配置された領域であり、弾性部材によって前後方向に収縮する力がかかる領域である。収縮領域は、弾性部材が非伸長状態で配置された領域を除く概念である。図１における弾性部材９１は、収縮領域のみを示しており、非伸長状態で弾性部材が配置された領域を示していない。そのため、図１における弾性部材９１の範囲は、収縮領域の範囲と一致する。収縮領域は、前後方向Ｌにおいて中央域Ｓ１を跨って配置されている。
【００５８】
防漏カフを構成する弾性部材９１は、前後方向Ｌにおいて低目付部４１又は低目付部４１から幅方向の外側に延びる領域を跨いで配置される。より詳細には、弾性部材９１の前端縁９１Ｆは、低目付部４１の前端縁４１Ｆよりも前方に位置し、弾性部材９１の後端縁９１Ｒは、低目付部４１の後端縁４１Ｒよりも後方に位置する。低目付部４１から幅方向の外側に延びる領域とは、低目付部４１の前端縁４１Ｆと低目付部４１の後端縁４１Ｒとの間の領域から幅方向に延びる領域である。低目付部４１は、中央域の前後方向の中心よりも目付が低く、変形し易い。また、低目付部４１は、隣接する中央域Ｓ１（又は後側域Ｓ３）の吸収コア３１と目付が異なり、剛性が変化する境界である。よって、低目付部４１と隣接する吸収コアとの境界を基点に変形し易い。加えて、弾性部材９１が低目付部４１又は低目付部４１から幅方向の外側に延びる領域を跨いでいる。このような構成により、弾性部材９１の収縮に伴い、低目付部４１の前後方向の長さが短くなるように変形し、低目付部４１が前後方向に縮んだ状態となる。よって、装着時の下着Ｓの伸長に伴って低目付部４１の縮んだ領域が延び、下着の変形に追従して吸収性物品１が変形できる。第１接合部６１及び第２接合部６２は、装着時に下着から離れ難く、下着を引き上げる前に固定された位置を維持し易い。装着時に吸収性物品１が意図せずに折れ曲がったり、位置がずれたりすることを抑制し、着用時の違和感や排泄物の漏れを抑制することができる。
【００５９】
（６）肌面シートと吸収体との間の非接合領域及び非肌面シートと吸収体との間の接合領域
肌面シート１０は、低目付部４１と重なる領域において、肌面シート１０よりも非肌対向面側に設けられた部材と接合されていない。肌面シート１０よりも非肌対向面側に設けられた部材とは、吸収体及びセカンドシートを例示できる。より具体的には、図１に示す非接合領域４６において、肌面シート１０と吸収体３０を構成するコアラップ３２とは、接合されていない。非接合領域４６は、図１において、破線で囲まれた領域によって示されている。非接合領域４６は、少なくとも、幅方向Ｗにおける低目付部４１の一端から他端まで延びていてよい。この代わりに、非接合領域４６は、幅方向Ｗにおいて低目付部４１の両端部まで延びていなくてもよい。低目付部４１において肌面シートが肌面シートよりも非肌対向面側に設けられた部材と接合されていないため、弾性部材によって低目付部４１が縮むように変形する際に、肌面シートが着用者側に膨らむように変形し易くなる。
【００６０】
非肌面シート２０は、低目付部４１と重なる領域において、非肌面シート２０よりも肌対向面側に設けられた部材と接合されている。より、具体的には、非肌面シート２０と吸収体を構成するコアラップとは、接合されている。肌面シート１０と吸収体３０が接合されておらず、かつ非肌面シート２０と吸収体３０とが接合されているため、吸収性物品の非肌対向面側よりも肌対向面側の剛性が低くなり、弾性部材によって低目付部４１が縮むように変形する際に低目付部４１が肌対向面側に隆起し易くなる。低目付部４１が下着と接合部の接合を阻害せず、吸収性物品の接合位置を維持して、着用時の違和感や排泄物の漏れを更に抑制することができる。
【００６１】
（７）接合部
第１接合部６１は、第２接合部６２よりも前方、かつ低目付部４１よりも前方に配置されている。第２接合部６２は、前後方向Ｌにおいて第１接合部６１と離間して配置されている。第２接合部６２は、低目付部４１よりも後方に配置されている。第１接合部６１と第２接合部６２とが低目付部４１を挟んで配置されているため、引き上げ前の状態から引き上げ後の状態に変化する際に、下着の伸長に伴って第１接合部６１と第２接合部６２との距離が離れるように引っ張られても、低目付部４１が伸長し、第１接合部６１と第２接合部６２の接合を維持することができる。後側域Ｓ３に位置する第２接合部が下着から離れることを抑制し、装着時に吸収性物品の後端縁が肌対向面側に折れ曲がったり、吸収性物品の後側域の位置が幅方向においてずれてしまったりする不具合を抑制できる。これにより、着用時の違和感や排泄物の漏れを抑制できる。
【００６２】
低目付部４１は、接合部６０に重ならない領域に配置される。このような構成によれば、弾性部材９１の収縮によって低目付部４１が縮んだ際に、接合部６０同士がくっつくことを抑制できる。接合部６０が位置しない箇所に接合することを防止し、接合部６０を介して吸収性物品１と下着Ｓとの接合状態を維持できる。装着時に吸収性物品が意図せずに折れ曲がったり、位置がずれたりすることを抑制し、着用時の違和感や排泄物の漏れを更に抑制することができる。
【００６３】
第３接合部６３と第４接合部６４の間には、低目付部４１から幅方向に延びる領域の少なくとも一部が配置される。そのため、下着の伸長に伴って第３接合部６３と第４接合部６４との距離が離れるように引っ張られても、低目付部４１が伸長し、第３接合部６３と第４接合部６４の接合を維持することができる。吸収性物品の後側域に位置する第３接合部６３が下着から離れることを抑制し、装着時にヒップフラップ４が肌対向面側に折れ曲がったり、ヒップフラップ４の位置が幅方向においてずれてしまったりする不具合を抑制できる。これにより、着用時の違和感や排泄物の漏れを抑制できる。
【００６４】
第２接合部６２の後端縁は、弾性部材９１によって前後方向に収縮する収縮領域よりも後方に配置される。収縮領域よりも後方に位置する第２接合部６２は、展開状態において弾性部材９１の収縮によって縮まり難く、下着に対する接合状態を維持し易い。また、下着が引き上げられた際に、下着の変形に伴って収縮領域が伸長し、収縮領域よりも後方に位置する第２接合部６２と下着との接合状態を維持し易い。よって、吸収性物品の接合位置を維持して、着用時の違和感や排泄物の漏れを更に抑制することができる。
【００６５】
第３接合部６３の前端縁６３Ｆ及び第３接合部６３の後端縁６３Ｒは、弾性部材によって前後方向に収縮する収縮領域よりも後方に配置される。収縮領域よりも後方に位置する第３接合部は、展開状態において弾性部材の収縮によって縮まり難く、下着に対する接合状態を維持し易い。また、収縮領域と第３接合部が前後方向に離間しているため、下着の変形に伴って収縮領域が伸長した際に、第３接合部と下着との接合状態を維持し易い。ヒップフラップの折り返しや皺の発生を抑制し、着用時の違和感や排泄物の漏れを更に抑制することができる。
【００６６】
第４接合部６４は、低目付部４１と離間しており、低目付部４１の前端縁４１Ｆとよりも前方に配置される。第４接合部６４は、装着された状態で下着のクロッチ部に接合する。下着のクロッチ部は、二重布等で構成されており、下着の臀部に当てられる領域よりも剛性が高く伸長し難い。また、下着のクロッチ部は、吸収性物品１の第１接合部６１と第４接合部６４が接合し、厚み方向Ｔにおいて吸収性物品１に挟まれており、下着の臀部に当てられる領域と比較して伸長し難い。すなわち、第４接合部６４が接合する領域は、伸長し難い領域である。これに対して、下着の臀部に当てられる領域は、下着のクロッチ部よりも伸長し易い領域である。第４接合部６４よりも後方に低目付部４１が配置されているため、下着の臀部に当てられる領域の伸長に伴って低目付部４１が前後方向に伸長し易くなり、下着の変形に追従して吸収性物品がより変形し易くなる。
【００６７】
（８）圧搾部
吸収性物品１は、少なくとも吸収コア３１が厚み方向に圧縮されることによって形成された圧搾部を有する。圧搾部は、前側圧搾部８１と後側圧搾部８２を有する。前側圧搾部８１と後側圧搾部８２は、前後方向において離間している。前側圧搾部８１の少なくとも一部及び後側圧搾部８２の少なくとも一部は、弾性部材９１の収縮領域の前後方向の範囲内に設けられる。前側圧搾部８１は、低目付部４１を前後方向に跨って配置されていない。また、後側圧搾部８２は、低目付部４１内に設けられていない。このような構成によれば、低目付部４１よりも前側の領域は、前側圧搾部によって剛性が高くなり、弾性部材の収縮力に対して変形し難く、フラットな状態で吸収体が維持され易い。同様に、低目付部４１よりも後側の領域は、後側圧搾部によって剛性が高くなり、弾性部材の収縮力に対して変形し難く、フラットな状態で吸収体が維持され易い。吸収体がフラットな状態で維持され易いため、着用者の肌に対して平滑な面で当接し、装着時の違和感の発生を抑制できる。一方、低目付部４１は、前後方向の全域にわたって圧搾部が形成されないため、弾性部材の収縮によって縮むように変形し易く、下着の伸長に伴って伸長するように変形できる。弾性部材の収縮力が高く、低目付部４１の収縮量が大きい構成であっても、吸収体の型崩れを抑制し、良好な使用感を維持できる。吸収性物品の下着に対する追従性能を高めることができる。
【００６８】
（９）変形例
次いで、図９及び１０に基づいて変形例に係る実施形態について説明する。なお、変形例の実施形態の説明において、上述の実施形態と同様の構成については同符号を用いて説明を省略する。図９は、変形例に係る吸収性物品の平面図であり、図１０は、変形例に係る吸収性物品の背面図である。変形例に係る吸収性物品１Ａは、複数の低目付部４１が設けられている。複数の低目付部４１は、前後方向に間隔を空けて配置されている。複数の低目付部４１を有する構成にあっては、折り線ＦＬ１は、少なくとも一部の低目付部に設けられていればよく、変形例に係る吸収性物品１Ａは、最も前側に位置する低目付部４１に折り線ＦＬ１が設けられている。
【００６９】
後側域Ｓ３に設けられた第２接合部６２は、前後方向Ｌに分断されている。各第２接合部６２は、低目付部４１に重ならない領域に配置されている。複数の低目付部４１は、弾性部材９１の収縮領域の範囲内に設けられており、弾性部材９１の収縮によって縮んだ状態となる。弾性部材９１の収縮領域の範囲内に複数の低目付部４１が設けられているため、低目付部４１の縮む量（前後方向の長さ）が大きくなり、下着に対する追従性を高めることができる。また、低目付部４１が複数設けられているため、複数の箇所で低目付部４１による縮んだ部分を設けることができ、下着の複数の箇所に対応して吸収性物品が追従でき、下着から接合部６０がより剥がれ難くなる。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７１】
１        ：吸収性物品
１０      ：肌面シート
１１      ：表面シート
１２      ：サイドシート
２０      ：非肌面シート
３０      ：吸収体
３１      ：吸収コア
３２      ：コアラップ
４１      ：低目付部
６１      ：第１接合部
６２      ：第２接合部
６３      ：第３接合部
６４      ：第４接合部
８１      ：前側圧搾部
８２      ：後側圧搾部
ＦＬ１    ：折り線
Ｌ        ：前後方向
Ｗ        ：幅方向
Ｔ        ：厚み方向
Ｓ１      ：中央域
Ｓ２      ：前側域
Ｓ３      ：後側域
【図１】
2017176449.tif 000003
【図２】
2017176449.tif 000004
【図３】
2017176449.tif 000005
【図４】
2017176449.tif 000006
【図５】
2017176449.tif 000007
【図６】
2017176449.tif 000008
【図７】
2017176449.tif 000009
【図８】
2017176449.tif 000010
【図９】
2017176449.tif 000011
【図１０】
2017176449.tif 000012
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
着用者の股下に配置される中央域と、
前記中央域の後側に位置する後側域と、
前記中央域及び前記後側域に配置される吸収体と、
前記前後方向に伸縮する弾性部材と、
吸収性物品の非肌対向面に設けられ、下着に接合するための接合部と、
前記幅方向に延び、かつ前記吸収性物品の肌対向面同士が対向するように折り畳むための折り線と、を有する吸収性物品であって、
前記吸収体は、前記中央域と前記後側域の境界に設けられ、かつ前記幅方向に延びる低目付部を有し、
前記低目付部の目付は、前記中央域の前記前後方向の中心部の目付よりも低く、
前記接合部は、前記低目付部よりも前方に位置する第１接合部と、前記低目付部よりも後方に位置する第２接合部と、を有し、
前記弾性部材は、前記低目付部又は前記低目付部から前記幅方向の外側に延びる領域を跨いでおり、
前記折り線は、前記吸収性物品が展開された展開状態において前記弾性部材の収縮によって前記低目付部が着用者側に隆起するように、前記低目付部に設けられており、
前記第２接合部の後端縁は、前記弾性部材によって前記前後方向に収縮する収縮領域よりも後方に配置されている、吸収性物品。
【請求項２】
互いに直交する前後方向及び幅方向と、
着用者の股下に配置される中央域と、
前記中央域の後側に位置する後側域と、
前記中央域及び前記後側域に配置される吸収体と、
前記前後方向に伸縮する弾性部材と、
吸収性物品の非肌対向面に設けられ、下着に接合するための接合部と、
前記幅方向に延び、かつ前記吸収性物品の肌対向面同士が対向するように折り畳むための折り線と、を有する吸収性物品であって、
前記吸収体は、前記中央域と前記後側域の境界に設けられ、かつ前記幅方向に延びる低目付部を有し、
前記低目付部の目付は、前記中央域の前記前後方向の中心部の目付よりも低く、
前記接合部は、前記低目付部よりも前方に位置する第１接合部と、前記低目付部よりも後方に位置する第２接合部と、を有し、
前記弾性部材は、前記低目付部又は前記低目付部から前記幅方向の外側に延びる領域を跨いでおり、
前記折り線は、前記吸収性物品が展開された展開状態において前記弾性部材の収縮によって前記低目付部が着用者側に隆起するように、前記低目付部に設けられており、
前記後側域において前記幅方向の外側に膨らむヒップフラップを有し、
前記接合部は、前記ヒップフラップに設けられた第３接合部を有し、
前記第３接合部は、前記弾性部材によって前記前後方向に収縮する収縮領域よりも後方に配置されている、吸収性物品。
【請求項３】
前記折り線の少なくとも一部は、前記低目付部の前記前後方向の中心と一致しない位置に設けられる、請求項１又は請求項２に記載の吸収性物品。
【請求項４】
前記吸収体よりも肌対向面側に設けられた肌面シートと、
前記肌面シートは、前記低目付部と重なる領域において、前記肌面シートよりも非肌対向面側に設けられた部材と接合されていない、請求項１から請求項３のいずれかに記載の吸収性物品。
【請求項５】
前記吸収体よりも非肌対向面側に設けられた非肌面シートと、を有し、
前記肌面シートは、前記低目付部と重なる領域において、前記吸収体と接合されてなく、
前記非肌面シートは、前記低目付部と重なる領域において、前記吸収体と接合されている、請求項４に記載の吸収性物品。
【請求項６】
前記低目付部は、前記接合部に重ならない領域に配置される、請求項１から請求項５のいずれかに記載の吸収性物品。
【請求項７】
前記後側域において前記幅方向の外側に膨らむヒップフラップと、
前記ヒップフラップに隣接し、かつ前記中央域において前記幅方向の外側に膨らむウイングと、を有し、
前記低目付部は、前記ヒップフラップの外縁及び前記ウイングの外縁が幅方向の内側に括れた括れ部、又は前記括れ部から前記幅方向の外側に延びる領域に設けられている、請求項１から請求項６のいずれかに記載の吸収性物品。
【請求項８】
前記後側域において前記幅方向の外側に膨らむヒップフラップを有し、
前記ヒップフラップの外縁は、前記幅方向の内側に凹む凹部を有し、
前記低目付部の後端縁よりも後方の領域に、前記凹部が配置される、請求項１から請求項７のいずれかに記載の吸収性物品。